【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
レーザ光を用いて複数の記録層を有する光ディスクから情報を再生する光ディスク装置において、
レーザダイオードと、
前記レーザダイオードを発光するための電流を供給する電流供給手段と、
前記電流供給手段が前記レーザダイオードに供給する電流量を制御することで前記レーザダイオードの発光パワーを制御する発光制御手段と、
を備え、
前記発光制御手段は、
ある領域の再生処理から別領域の記録処理への移行処理、
ある領域の記録処理から別領域の再生処理への移行処理、
ある領域の再生処理から別領域の再生処理への移行処理、
ある領域の記録処理から別領域の記録処理への移行処理、
の少なくとも一つの移行処理における前記レーザダイオードの発光パワーを当該移行処理に適した発光パワーに設定することを特徴とする光ディスク装置。
【請求項２】
請求項１に記載の光ディスク装置であって、
前記光ディスクが２層以上の記録層を備える多層光ディスクであるとき、前記発光制御手段が前記少なくとも一つの移行処理における前記レーザダイオードの発光パワーを各層の中で最も再生光耐性の低い層の再生に用いる発光パワー以下に設定することを特徴とする光ディスク装置。
【請求項３】
請求項１に記載の光ディスク装置であって、
前記少なくとも一つの移行処理において、レーザ光の焦点が、光ディスクの層間移動を伴うことを特徴とする光ディスク装置。
【請求項４】
請求項３に記載の光ディスク装置であって、
前記発光制御手段が前記少なくとも一つの移行処理完了後に、当該記録層の再生用または記録用の発光パワーに設定することを特徴とする光ディスク装置。
【請求項５】
請求項１に記載の光ディスク装置であって、
前記発光制御手段が、前記少なくとも一つの移行処理における前記レーザダイオードの発光パワーを焦点誤差信号が生成しうる発光パワー以上に設定することを特徴とする光ディスク装置。
【請求項６】
請求項１に記載の光ディスク装置であって、
前記光ディスクが２層以上の記録層を備える多層光ディスクであるとき、記録層の中で最も再生光耐性の低い記録層において、前記発光制御手段が前記少なくとも一つの移行処理における前記レーザダイオードの発光パワーを所定回数繰り返し再生した場合に所定の再生品質基準を満たす発光パワーに設定することを特徴とする光ディスク装置。
【請求項７】
請求項１に記載の光ディスク装置であって、
各層で同一の発光パワーにてレーザ光を照射し、その反射光から得られる信号により、前記少なくとも一つの移行処理における前記レーザダイオードの発光パワーを設定することを特徴とする光ディスク装置。
【請求項８】
レーザ光の照射により情報が記録または再生される複数の記録層を有する光ディスクにおいて、
ディスクに関する情報が予め記録されているディスク情報領域を備え、
前記ディスク情報領域に、
ある領域の再生処理から別領域の記録処理への移行処理、
ある領域の記録処理から別領域の再生処理への移行処理、
ある領域の再生処理から別領域の再生処理への移行処理、
ある領域の記録処理から別領域の記録処理への移行処理、
の少なくとも一つの移行処理において設定する発光パワーの情報が記録されていることを特徴とする光ディスク。
【請求項９】
複数の記録層を有する光ディスクに対しレーザ光を発光して情報の記録または再生を行なう光ディスク装置であって、
レーザ光を発光するレーザ光源と、
前記レーザ光源から発光したレーザ光を光ディスクの記録層に集光させる対物レンズと、
前記光ディスクで反射した前記レーザ光を受光する光検出器と、
前記レーザ光源がレーザ光を発光する発光パワーを制御する発光制御手段とを備え、
前記光ディスクのひとつの領域にレーザ光を集光し、当該領域における情報の記録または再生に適した発光パワーで前記レーザ光源がレーザ光を発光している第１の状態から、前記光ディスクの当該領域とは異なる他の領域にレーザ光を集光し、当該他の領域における情報の記録または再生に適した発光パワーで前記レーザ光源がレーザ光を発光している第２の状態に遷移する場合に、前記発光制御手段は、前記第１の状態から前記第２の状態に遷移する間に当該遷移に適した発光パワーでレーザ光を発光する様、前記レーザ光源を制御することを特徴とする光ディスク装置。
【請求項１０】
請求項９に記載の光ディスク装置であって、
前記光ディスクが２層以上の記録層を備える多層光ディスクであるとき、前記発光制御手段は、前記第１の状態から前記第２の状態に遷移する間に前記レーザ光源が発光するレーザ光の発光パワーを、各記録層の中で最も再生光耐性の低い記録層の再生に適した発光パワー以下に設定することを特徴とする光ディスク装置。
【請求項１１】
複数の記録層を有する光ディスクに対しレーザ光を発光して情報の記録または再生を行なう光ディスク装置であって、
レーザ光を発光するレーザ光源と、
前記レーザ光源から発光したレーザ光を光ディスクの記録層に集光させる対物レンズと、
前記光ディスクで反射した前記レーザ光を受光する光検出器と、
前記レーザ光源がレーザ光を発光する発光パワーを制御する発光制御手段とを備え、
前記発光制御手段は、
レーザ光の集光位置が前記光ディスクのひとつの領域から他の領域へと移動を開始する際、前記レーザ光源がレーザ光を発光する発光パワーを前記ひとつの領域の再生または記録に適したパワーから当該移動に適した発光パワーへと切り替えて設定し、
レーザ光の集光位置が前記ひとつの領域から前記他の領域へ移動している間は、前記レーザ光源がレーザ光を発光する発光パワーを前記移動に適した発光パワーに設定し、
レーザ光の集光位置が前記他の領域に移動した後、前記レーザ光源がレーザ光を発光する発光パワーを前記移動に適した発光パワーから前記他の領域の再生または記録に適した発光パワーへと切り替えて設定する様、前記レーザ光源を制御することを特徴とする光ディスク装置。
【請求項１２】
請求項１１に記載の光ディスク装置であって、
前記光ディスクが２層以上の記録層を備える多層光ディスクであるとき、前記発光制御手段は、レーザ光の集光位置が前記ひとつの領域から前記他の領域へ移動している間に前記レーザ光源が発光するレーザ光の発光パワーを、各記録層の中で最も再生光耐性の低い記録層の再生に適した発光パワー以下に設定することを特徴とする光ディスク装置。
【請求項１３】
複数の記録層を有する光ディスクに対しレーザ光を発光して情報の再生を行なう再生方法であって、
光ディスクに対しレーザ光源がレーザ光を発光する第１のステップと、
レーザ光の集光位置が前記光ディスクのひとつの領域から他の領域へと移動を開始する際、前記第１のステップで前記レーザ光源がレーザ光を発光する発光パワーを前記ひとつの領域の再生または記録に適したパワーから当該移動に適した発光パワーへと切り替えて設定する第２のステップと、
レーザ光の集光位置が前記ひとつの領域から前記他の領域へ移動している間は、前記レーザ光源がレーザ光を発光する発光パワーを前記第２のステップで設定した前記移動に適した発光パワーに設定する第３のステップと、
レーザ光の集光位置が前記他の領域に移動した後、前記レーザ光源がレーザ光を発光する発光パワーを前記第３のステップで設定した前記移動に適した発光パワーから前記他の領域の再生または記録に適した発光パワーへと切り替えて設定する第４のステップとを備えることを特徴とする再生方法。
【請求項１４】
請求項１３に記載の再生方法であって、
前記光ディスクが２層以上の記録層を備える多層光ディスクであるとき、前記第３のステップで、レーザ光の集光位置が前記ひとつの領域から前記他の領域へ移動している間に前記レーザ光源が発光するレーザ光の発光パワーを、各記録層の中で最も再生光耐性の低い記録層の再生に適した発光パワー以下に設定することを特徴とする再生方法。
【請求項１５】
請求項１３に記載の再生方法であって、
前記第２から第４のステップでレーザ光の集光位置が前記ひとつの領域から前記他の領域へ移動するプロセスにおいて、レーザ光の集光位置が前記光ディスクにおけるひとつの層から他の層へ移動する処理を含むことを特徴とする再生方法。
【手続補正２】
【補正対象書類名】明細書
【補正対象項目名】発明の名称
【補正方法】変更
【補正の内容】
【発明の名称】光ディスク、光ディスク装置および再生方法